(57)【要約】【課題】低コストで確実な風除効果を得ることができるドア装置を提供する。【解決手段】仕切られた部屋を構成しており対向する位置に出入口７，８が設けられている区画ブース３と、この区画ブース３に収容され出入口７，８の同時開放を阻止するように動作する開閉装置とを備え、この開閉装置が、１８０°以下で回動することにより一方のパネル面を第一出入口７側に向ける位置と、反転して他方のパネル面を第一出入口７側に向ける位置とに交互に切り換わる反転パネル部と５ａ、この反転パネル部５ａの外周部から延設され区画ブース３との接触を維持しつつ両出入口７，８を同時に開きまたは閉じる一対の扉部４ａと、反転パネル部５ａを反転動作させる駆動装置２３．３０とから構成されていることを特徴とする。【選択図】　　　　図１
2004003271.tif 000002
【特許請求の範囲】
【請求項１】
仕切られた部屋を構成しており対向する位置に第一および第二出入口が設けられている区画ブースと、この区画ブースに収容され両出入口の同時開放を阻止するように動作する開閉手段とを備え、
この開閉手段が、１８０°以下で回動することにより一方のパネル面を第一出入口側に向ける位置と、反転して他方のパネル面を第一出入口側に向ける位置とに交互に切り換わる反転パネル部と、この反転パネル部の両端に設けられ上記区画ブースとの接触を維持しつつ上記両出入口を同時に開きまたは閉じる一対の扉部と、上記反転パネル部を反転動作させる駆動装置とから構成されていることを特徴とするドア装置。
【請求項２】
上記扉部が円弧状のパネルで構成されている請求項１記載のドア装置。
【請求項３】
上記区画ブースが平面から見て断面四角形に構成され、その各コーナー部にデッドスペースを埋めるためのスペーサが付設されている請求項１または２記載のドア装置。
【請求項４】
上記区画ブースは平面から見た断面が通路方向に長い長方形に構成され、上記扉部は上記出入口を開くときに、上記区画ブースの長辺側内壁に沿って折り畳まれるように構成されている請求項１または２記載のドア装置。
【請求項５】
上記扉部が開閉方向に拡縮できる複層構造からなり、上記出入口を開いている場合は縮小し、出入口を閉じる際に拡張するように構成されている請求項２〜４のいずれかに記載のドア装置。
【請求項６】
上記反転パネル部に、開閉自在なドアが備えられている請求項１〜５のいずれかに記載のドア装置。
【請求項７】
上記反転パネル部によって仕切られる上記区画ブースの少なくとも一方側に、通行者の移動する通行エリアと通じて通行者が滞留することのできる滞留エリアが設けられている請求項１または２記載のドア装置。
【請求項８】
上記出入口の横幅に対応して上記扉部が形成され、区画ブース内へのその扉部の進入量を抑制すべく上記出入口の開口幅が所定長さに制限されている請求項７記載のドア装置。
【請求項９】
上記扉部が円弧状のパネルで構成されるとともに開閉方向に拡縮できる複層構造からなり、上記出入口を開いている場合は縮小動作し、出入口を閉じる際に拡張動作するように構成されている請求項７または８記載のドア装置。
【請求項１０】
上記反転パネル部によって仕切られる上記区画ブースの少なくとも一方側に、通行者の移動する通行エリアと通じて通行者が滞留することのできる滞留エリアが設けられ、上記扉部が開閉方向に拡縮できる円弧状パネルからなる複層構造で構成されているとともに、上記出入口の開口範囲内で開閉動作するように構成されている請求項１記載のドア装置。
【請求項１１】
上記扉部が上記区画ブースの出入口から外向きに膨出する構成である請求項１０記載のドア装置。
【請求項１２】
上記区画ブースに非常時通行用のドアが設けられている請求項１，７，１０のいずれかに記載のドア装置。
【請求項１３】
上記区画ブースが通路方向と直交する左右方向に長い長方形に構成され、この長方形区画ブース内に複数の出入口が対向して配置され、対向する出入口毎にその出入口の同時開放を阻止するように動作する開閉手段が配設され、この開閉手段は、左右対称に揺動する複数の反転パネル部と、各反転パネル部の両端に設けられ上記区画ブースとの接触を維持しつつ対向する出入口を同時に開きまたは閉じる一対の扉部と、各反転パネル部を揺動させる駆動装置とから構成されていることを特徴とするドア装置。
【発明の詳細な説明】
【０００１】
【発明の属する技術分野】
本発明は、建物の出入口に設置される風除効果を備えたドア装置に関するものである。
【０００２】
【従来の技術】
従来、建物内部の冷暖房効果を高める目的や建物のドラフト（煙突）効果を防止する目的でオフィスビルや公共の建物等の出入口に引戸式の自動ドアを設置することがある。
【０００３】
この種の自動ドアは、例えばエントランス部分に箱形に仕切られた区画ブースを設け、その区画ブースにおいて対向する位置に出入口を配置し、各出入口に引戸式の自動ドアを設けている。各自動ドアは個別に制御されるようになっており、通行人が区画ブースを通行する際に開かれるように構成されている。
【０００４】
【発明が解決しようとする課題】
しかしながら、上記した従来の自動ドアでは、区画ブースが設けられていることによってある程度の風除効果を期待することができるものの、区画ブース内に入ろうとする通行者とすでに区画ブース内を通行している通行者が同じタイミングで各自動ドアに踏み入れた場合、或いは通行頻度が高い場合には屋内側と屋外側の自動ドアがともに開いてしまうことがあり、完全な風除効果を実現することができなかった。
【０００５】
しかも、各自動ドアは個別に開閉制御されるため駆動源も２台必要となり、製品コストが高く、また設置後のランニングコストも高いという問題もある。
【０００６】
なお、複数枚の回転扉を一方向に回転させる回転ドアでは仕切られた小室が備えられているため引戸式の自動ドアに比べより確実な風除効果が得られる。しかし、装置の規模が大きくなり、さらに、回転扉に対しスリップリングを介して信号を送受しなければならず、さらにコスト高となってしまう。
【０００７】
本発明は以上のような従来のドア装置における課題を考慮してなされたものであり、低コストで確実な風除効果を得ることができるドア装置を提供するものである。
【０００８】
【課題を解決するための手段】
本発明は、仕切られた部屋を構成しており対向する位置に第一および第二出入口が設けられている区画ブースと、この区画ブースに収容され両出入口の同時開放を阻止するように動作する開閉手段とを備え、この開閉手段が、１８０°以下で回動することにより一方のパネル面を第一出入口側に向ける位置と、反転して他方のパネル面を第一出入口側に向ける位置とに交互に切り換わる反転パネル部と、この反転パネル部の両端に設けられ区画ブースとの接触を維持しつつ両出入口を同時に開きまたは閉じる一対の扉部と、反転パネル部を反転動作させる駆動装置とから構成されているドア装置である。
【０００９】
本発明に従えば、反転パネル部が一方の回転限界まで振れたとき、または予めその回転限界に振れているときに、各出入口が開かれて通行者の進入を受け入れる。このとき、反転パネル部は区画ブースを屋内外で遮断する。
【００１０】
次いで、反転パネル部が他方の回転限界に向けて回転するとき、第一出入口（例えば屋外側の出入口）が閉じられ反転パネル部は各出入口を結ぶ方向に沿うことになり、遮断されていた区画ブースが連通する。それにより、通行者は区画ブース内を第二出入口（例えば屋内側出入口）に向けて移動することができる。
【００１１】
さらに、反転パネル部が他方の回転限界まで振れると、第二出入口（屋内側出入口）が開かれて通行者を送り出すことができる。このとき、反転パネル部は区画ブースを屋内外で遮断する。
【００１２】
このように反転パネル部が回転することによって、区画ブースの遮断状態と連通状態が交互に切り換わり、その際、出入口が開くタイミングで通行者は区画ブースに進入することができる。
【００１３】
本発明において、上記扉部を円弧状のパネルで構成すると、区画ブース内のエリアを通行方向に拡張することができる。
【００１４】
本発明において、上記区画ブースを平面から見て断面四角形に構成し、その各コーナー部にデッドスペースを埋めるためのスペーサを付設すれば、区画ブースの四隅に生じるデッドスペース内に通行者が誤って入り込むことを防止して通行者を安全に通行させることができる。
【００１５】
本発明において、上記区画ブースを、平面から見た断面が通路方向に長い長方形に構成し、上記扉部を、出入口が開かれたときに区画ブースの長辺側内壁に沿って折り畳まれるように構成すれば、区画ブースの幅を縮小することが可能になりドア装置のコンパクト化が図れる。
【００１６】
本発明において、扉部を円弧状のパネルで且つ開閉方向に拡縮できる複層構造とし、出入口を開いている場合は縮小し、出入口を閉じる際に拡張するように構成すれば、反転パネルの回転角を小さくして区画ブース内のデッドスペースを小さくすることができる。
【００１７】
本発明において、上記反転パネル部に、開閉自在なドアを備えれば、非常時等の避難脱出通路を確保することができる。
【００１８】
また、本発明において、上記反転パネル部によって仕切られる上記区画ブースの少なくとも一方側に、通行者の移動する通行エリアと通じて通行者が滞留することのできる滞留エリアを設けると、反転パネル部が反転するタイミングに合わせて通行ができない場合は滞留部に退避することができるため、自分の都合に合わせて安全にドア装置を通行することが可能になり、通行が滞ることを解消することができる。
【００１９】
本発明において、上記出入口の横幅を、例えば一人の通行者が車椅子で通過できる幅に制限し、扉部の幅もその横幅に対応して短く形成すれば、扉部は区画ブース内に大きく進入することがなく区画ブース内のデッドスペースを少なくすることができる。
【００２０】
本発明において、上記扉部を円弧状のパネルで構成するとともに開閉方向に拡縮できる複層構造とし、出入口を開いている場合は縮小動作させ、出入口を閉じる際に拡張動作させるように構成すれば、反転パネルの回転角を小さくすることができ、それにより、区画ブースの出入口について最大の開口幅を確保することと区画ブース内のデッドスペースを少なくすることを両立させることができる。
【００２１】
本発明において、反転パネル部によって仕切られる区画ブースの少なくとも一方側に、通行者の移動する通行エリアと通じて通行者が滞留することのできる滞留エリアを設け、扉部を開閉方向に拡縮できる円弧状パネルからなる複層構造で構成するとともに、その扉部を出入口の開口範囲内で開閉動作するように構成すれば、円弧状扉が区画ブース内に進入することがないため、通行者の通行をよりスムーズにすることができる。
【００２２】
本発明において、上記円弧状扉部の曲率を大きくすることにより円弧状扉部を区画ブースの出入口から外向きに膨出させると、反転パネルを小さい半径で回転させることができるようになり、通行エリアを広くすることができる。
【００２３】
本発明において、上記区画ブースに非常時通行用のドアを設ければ、非常時等の避難脱出通路を確保することができる。
【００２４】
本発明において、上記区画ブースを通路方向と直交する左右方向に長い長方形に構成し、この長方形区画ブース内に複数の出入口を対向して配置し、対向する出入口毎にその出入口の同時開放を阻止するように動作する開閉手段を配設し、この開閉手段を、左右対称に揺動する複数の反転パネル部と、各反転パネル部の両端に設けられ区画ブースとの接触を維持しつつ対向する出入口を同時に開きまたは閉じる一対の扉部と、各反転パネル部を揺動させる駆動装置とから構成すれば、風除効果を確保したまま通行量を増加させることができるようになる。
【００２５】
【発明の実施の形態】
以下、図面に示した実施の形態に基づいて本発明を詳細に説明する。
【００２６】
図１は、本発明に係るドア装置の区画ブースおよび開閉手段の構成を示したものである。
【００２７】
同図において、ドア装置１は、可動パネル２と、その可動パネル２を収納する区画ブース３とを備えている。
【００２８】
可動パネル２は、回転軸Ｒ．Ａを中心として所定の回転角度θ（１８０°以下）の範囲内で時計回りに、或いは反時計回りに交互に回転し、揺動するようになっている。なお、上記可動パネル２と後述する駆動装置は開閉手段を構成する。
【００２９】
上記可動パネル２の上部には、円弧状に形成された一対の上側外周フレーム２ａと、これらの上側外周フレーム２ａ，２ａの中央部を互いに接続する上側接続フレーム２ｂとが備えられ、全体としてＨ状に組まれている。
【００３０】
可動パネル２の下部には、同じく円弧状に形成された一対の下側外周フレーム２ｃと、これらの下側外周フレーム２ｃ，２ｃの中央部を互いに接続する下側接続フレーム２ｄとが備えられ、Ｈ状に組まれている。
【００３１】
上側接続フレーム２ｂおよび下側接続フレーム２ｄには、回転軸Ｒ．Ａ上に上側ピン２ｂ′および下側ピン２ｄ′がそれぞれ反対向きに突設されている。
【００３２】
上側および下側外周フレーム２ａ，２ｃは、その両側に配置された２本の柱フレーム２ｅによって窓枠状に接続されており、その窓枠内に、円弧状に成形されたガラスパネル４が嵌め込まれている。
【００３３】
このガラスパネル４およびそれを囲んでいるフレームを総称して扉パネル部（扉部）４ａと呼ぶ。
【００３４】
また、上側および下側接続フレーム２ｂ，２ｂに挟まれた状態で平板からなるガラスパネル５が嵌め込まれている。
【００３５】
このガラスパネル５およびそれを囲んでいるフレームを総称して反転パネル部５ａと呼ぶ。
【００３６】
なお、柱フレーム２ｅの回転方向各縁部には、戸挟み防止のための帯状のゴムスイッチ６が貼着されている。
【００３７】
一方、区画ブース３は上記可動パネル２を収容することができる箱構造に構成されており、対向する位置に屋外出入口（第一出入口）７，屋内出入口（第二出入口）８がそれぞれ設けられている。この屋外出入口７，屋外出入口８の開口形状は、上記扉パネル部４ａの形状と対応して形成されている。
【００３８】
この区画ブース３は、平面から見てコ字状に対向する一対のガラスパネル９，９を有している。各ガラスパネル９，９の上縁は、略四角形に形成された天蓋３ａに接続されており、下縁はコ字状に形成された下框３ｂ，３ｂに固定されている。なお、３ｃ，３ｄは天蓋３ａと下框３ｂとを縦方向に接続している方立であり、方立３ｃ，３ｃはガラスパネル９の開口側縁部に設けられ、方立３ｄ，３ｄはガラスパネル９，９の通行方向略中間部分を支持している。
【００３９】
また、方立３ｃの開口側縁部には、戸挟み防止のための帯状のゴムスイッチ１０が貼着されている。なお、１１は建物の外壁を示している。
【００４０】
図２は図１のＡ部を拡大して示した平面図である。
【００４１】
同図において、可動パネル２が停止しているとき、区画ブース３の方立３ｃと可動パネル２の柱フレーム２ｅとが略対向するようになっている。
【００４２】
方立３ｃの内壁には縦方向（Ｚ方向）に凹溝３ｃ′が形成されており、この凹溝３ｃ′に沿って帯状のブラシ１２が固定されている。このブラシ１２は出入口部分の各方立３ｃにそれぞれ設けられており、可動パネル２の外壁と常に接触して隙間Ｓを通過しようとする空気の流れを遮断するようになっている。
【００４３】
図３は、上記可動パネル２を揺動動作させる駆動装置を示したものである。
【００４４】
同図において、２０は区画ブース３上方の天蓋３ａ内に組まれた架台であり、この架台２０は、四角状に組まれた枠部２０ａと、その枠部２０ａの中心を横断する主梁部２０ｂと、枠部２０ａと主梁部２０ｂとを接続する複数の補強梁部２０ｃとから構成されている。
【００４５】
主梁部２０ｂの中心には可動パネル２の上側ピン２ｂ′を支持するための軸受２０ｄが設けられている。なお、下側ピン２ｄ′についてはフロアに埋設した軸受（図示しない）によって支持するものとする。
【００４６】
２１は補強梁部２０ｃに半円状に固定されたガイドプレートであり、このガイドプレート２１から内側に向けてブラケット２１ａが多数突設されており、各部ブラケット２１ａの先端にガイドローラ２１ｂが備えられている。
【００４７】
これらのガイドローラ２１ｂはエンドレスの歯付きベルト２２を半円状にガイドするためのものであり、その歯付きベルト２２の一方はモータ２３の駆動プーリ２３ａを周回しており、他方はモータ２３と反対側のフレームに固定された従動プーリ２４を周回するようになっている。
【００４８】
また、歯付きベルト２２の略中央部分にはクランプ２５が取り付けられ、このクランプ２５は、可動パネル２の上側外周フレーム２ａを補強している補強パイプ２ｆと接続されている。
【００４９】
したがって、モータ２３を一定量正逆回転させると、歯付きベルト２２が矢印Ｂ方向または矢印Ｃ方向に移動し、この歯付きベルト２２に対しクランプ２５を介して固定されている可動パネル２は、出入口の中心Ｅ．Ｃを基準として左側または右側に交互に回転する。このようにして可動パネル２が揺動することによって出入口７，８が開閉される。
【００５０】
なお、図中Ｌ１およびＬ２はそれぞれセンサ２６および２７の検知領域を示しており、このドア装置１の出入口７（または８）に接近した通行者を検知したときにコントーラ２８に対して検知信号を与え、この検知信号を受けたコントローラ２８は上記モータ２３を制御して可動パネル２を揺動動作させるようになっている。
【００５１】
次に、上記構成を有するドア装置の動作について図４を参照しながら説明する。なお、説明に際しては図面左側から右側に通行者が移動する場合を例に取り、出入口７を入口、出入口８を出口と呼ぶ。
【００５２】
まず、図４（ａ）において、通行者がドア装置１に接近すると、図３に示した入口側センサ２６によって検知される。このとき、反転パネル部５ａの一方のパネル面が出入口（第一出入口）７側に向けられている。
【００５３】
検知信号を受けたコントローラ２８は、モータ２３を正転させて歯付きベルト２２を矢印Ｂ方向に移動させ、扉パネル部４ａを図に示す一方の揺動限界まで回転させる。なお、可動パネル２の揺動範囲は予めコントローラ２８の内部メモリに記憶されているものとし、例えば回転角に応じたパルス信号をモータ２３に与えることによって、または回転角に応じてモータ２３の駆動をタイマ制御することによって揺動限界まで回転させるものとする。
【００５４】
入口７が開かれると、通行者Ｐは区画ブース３内に入ることができる。このとき、仕切パネル５ａは区画ブース３を屋内外で遮断している（図４（ａ）参照）。
【００５５】
次に、区画ブース３内を通行者Ｐが進んで入口側センサ２６からの検知信号が停止すると、コントローラ２８はモータ２３を逆転させ、可動パネル２を反転、すなわち、矢印Ｃ方向に回転させる。
【００５６】
このとき、入口７が徐々に閉じられるのに反して遮断されていた区画ブース３が連通し始める（図４（ｂ）参照）。そして仕切パネル５ａが通行方向と略平行になることによって通行者Ｐは区画ブース３内を出口側に向けて移動することができる（図中４（ｃ）参照）。
【００５７】
可動パネル２がさらに回転すると、出口８が徐々に開かれる（図４（ｄ）参照）。
【００５８】
回転する可動パネル２が他方の揺動限界に達すると、出口８が完全に開かれ、通行者Ｐは区画ブース３を通り抜けることができる（図４（ｅ）参照）。このとき、他方のパネル面が出入口７側に向けられている。
【００５９】
また、この状態で次の通行者は入口７から区画ブース３内に入ることができ、上記と同様の手順で区画ブース３を通過することができる。ただし、次の通行者については区画ブース３における図面下側を通り抜けることになる。
【００６０】
すなわち、可動パネル２が揺動するのに合わせて通行者Ｐは区画ブース３における図面上側と下側とに振れ分けられながら、区画ブース３を通り抜けることになる。
【００６１】
なお、扉パネル部４ａは通行者Ｐを検知していないときに出入口７，８を閉鎖していることが好ましいが、例えば通行量が多い場合には、予め一方の揺動限界まで回転させておき、出入口を開いた状態で通行者を待つように制御することもできる。
【００６２】
図５は、本発明に係るドア装置の第二の実施形態およびその動作を示したものである。なお、以下の説明において図４と同じ構成要素については同一符号を付してその説明を省略する。
【００６３】
図５に示す構成では、回転する扉パネル部４ａによって描かれる外周円に沿って区画ブース３の各四隅に三角柱状のスペーサ３１を取り付けたものである。この構成によれば、区画ブース３内にデッドスペースが発生しないため、可動パネル２が揺動するときにデッドスペース内に通行者Ｐが誤って入り込むことを防止することができる。
【００６４】
図５（ｂ）〜（ｅ）は、可動パネル２が回転するときの可動パネル部２とデッドスペースとの位置関係を示したものであるが、可動パネル２が揺動動作して出入口７，８を開閉する基本動作については図４に示したものと同様である。
【００６５】
図６は、本発明に係るドア装置の第三の実施形態およびその動作を示したものである。
【００６６】
同図に示す構成では、扉パネル部４ａが折畳まれるように構成されている。
詳しくは、同図（ａ）に示すように、扉パネル４ａは、その扉パネル部４ａと接続パネル部５ａとの交差部分を支点として内側に折り曲げ可能に構成されており、可動パネル２が回転して扉パネル部４ａが区画ブース３の内壁に接触すると、その内壁にガイドされながら折り畳まれ、揺動限界まで移動する。
【００６７】
このように構成すると、区画ブース３の横幅ＷをＷ′に縮小することができ、スペースが限られているような据え付け場所に対しても本実施形態のドア装置を設置することが可能になる。
【００６８】
図６（ｂ）から（ｅ）は可動パネル２の揺動時における扉パネル部４ａの折畳み動作を示したものであるが、可動パネル２が揺動動作して出入口７，８を開閉する基本動作については図４に示したものと同様である。
【００６９】
図７は本発明に係るドア装置の第四の実施形態およびその動作を示したものである。
【００７０】
同図に示す構成では、出入口７，８を挟んで対向する区画ブース３２がそれぞれ円弧状に構成されている。
【００７１】
このように構成すれば、区画ブース３２内にデッドスペースが発生しないため、図５に示したようなスペーサブロック３１を取り付ける必要がなく、しかも区画ブース３２のコンパクト化が図れる。
【００７２】
図７（ｂ）から（ｅ）は可動パネル２の揺動時における扉パネル部４ａと区画ブース３２との配置を示したものであるが、可動パネル２が揺動動作して出入口７，８を開閉する基本動作については図４に示したものと同様である。
【００７３】
また、図７に示した扉パネル部４ａは、直線に限らず、区画ブース３２と同様に円弧に構成することもできる。
【００７４】
図８は本発明に係るドア装置の第五の実施形態を示したものである。
【００７５】
同図に示すドア装置では、反転パネル部５ａの中央に、手動で開閉することができるドアパネル３３が設けられている。
【００７６】
反転パネル部５ａには２本の縦材５ｂ，５ｃが平行して設けられており、その縦材５ｂ，５ｃの間に開口が設けられている。
【００７７】
この開口に備えられるドアパネル３３は、上側接続フレーム２ｂと下側接続フレーム２ｄとに設けられたヒンジ３３ａ，３３ｂ（上側ヒンジ３３ａのみ図示）を支点して矢印Ｄ方向に開閉するように構成されており、非常時に避難脱出通路として機能するだけでなく、長尺物を搬入するときに開ければ、その運搬が容易に行える。
【００７８】
なお、このドアパネル３３は、もちろん、図１、図４、図５、図６に示した各ドア装置にも適用することができる。
【００７９】
また、反転パネル５ａにおける各パネル面に、例えば、進行方向を案内する矢印を付ければ、一方向に回転する回転ドアとは異なり揺動動作することを通行者に知らせ、区画ブースの通過をよりスムーズにすることができるようになる。
【００８０】
図９は本発明に係るドア装置の第六の実施形態を示したものである。
【００８１】
同図に示すドア装置では、先に図１に示した可動パネル２と同様に、反転パネル部５ａの両端に円弧状の扉パネル部４ａが備えられており、この可動パネル２は、区画ブース４０内で回転軸Ｒ．Ａを中心として時計回り、反時計回りに交互に回転し揺動動作するように構成されている。
【００８２】
区画ブース４０は、長方形（平面から見て）の仕切られた部屋で構成されており、その各長辺に屋外側出入口４１と屋内側出入口４２が対向して設けられている。
【００８３】
図中、Ｅは区画ブース４０内で可動パネル２が揺動する範囲を示しており、主に通行者がドア装置を通過する際の通行エリアになっている。また、この範囲Ｅ内で揺動することにより、区画ブース４０と扉パネル部４ａとの接触が確保されて風除効果が得られるようになっている。
【００８４】
Ｆ１およびＦ２は、その通行エリアと通じて区画ブース４０内に設けられた滞留エリアであり、通行者がドア装置内に滞留することができるようになっている。
【００８５】
例えばドア装置を屋内から屋外（矢印Ｇ方向）に通り抜ける際に屋外側出入口４１を通過するタイミングを失った通行者は、上記滞留エリアＦ１に一旦、退避することができ、また、屋外から屋内に通り抜ける際に屋内側出入口４２を通過するタイミングを失った通行者は上記Ｆ２に退避することができ、いずれの場合であっても次に出入口４１（または４２）が開くのを待って自分のペースで通過することができるようになっている。
【００８６】
また、各滞留エリアＦ１，Ｆ２は、可動パネル２が回転することにおいて何ら影響を受けないため、例えばこのドア装置をマンション等のエントランスに配置した場合、一方の滞留エリアＦ２にメールボックス４３を設置することも可能になる。
【００８７】
すなわち、屋外からドア装置に入った通行者は、通行エリアＥを出て滞留エリアＦ２に入ることによって可動パネル２の回転を意識することなく、メールボックス４３からメールを取り出すことができ、その後、通行エリアＥに戻り、扉パネル部４ａが開くのを待って、屋内側出入口４２から屋内に入ることができる。
【００８８】
次に、このドア装置の動作を、屋外から屋内に通過する場合を例に取り説明する。
【００８９】
図９（ａ）において、可動パネル２が矢印Ｈ方向に回転し、屋外側出入口４１の扉パネル部４ａが開いた時点で通行者Ｐはドア装置内に入ることができる。
【００９０】
同図（ｂ）において、可動パネル２が反転し矢印Ｉ方向に回転するとき、通行者は屋内側出入口４２側に向けて移動する。
【００９１】
同図（ｃ）において、可動パネル２が反転する途中で一旦、屋外側出入口４１および屋内側出入口４２が閉じられる。風除効果は継続して維持されている。この状態で通行者はさらに出入口４２側に移動する。
【００９２】
同図（ｄ）において、可動パネル２がさらに矢印Ｉ方向に回転すると屋内側出入口４２が開かれる。
【００９３】
同図（ｅ）において、完全に開かれた屋内側出入口４２を通して通行者Ｐは屋内に入ることができる。
【００９４】
なお、同図（ａ）においてメールボックス４３に用事のある通行者Ｐ′は、他の通行者Ｐの通行に関係なく滞留エリアＦ２に移動し、必要な期間だけその滞留エリアＦ２に残ることができる。
【００９５】
なお、同図（ｅ）において、４０ａ，４０ｂは区画ブース４０の一方側に設けられた非常ドアであり、４０ｃ，４０ｄは同じく他方側に設けられた非常ドアであり、それぞれ非常時または長尺物を搬送する場合には内側から操作して開放することができるようになっている。
【００９６】
図１０は、図９に示したドア装置の変形例を示したものである。なお、以下の説明において図９と同じ構成要素については同一符号を付してその説明を省略する。
【００９７】
図９では区画ブースの左右両側に滞留エリアＦ１，Ｆ２を設けたが、図１０に示す構成では一方側にのみ滞留エリアＦ２を設けている。
【００９８】
屋内から屋外（矢印Ｇ方向）には通行量の集中することが少なく、その逆方向に通行量が多いような環境では、区画ブース４０′の一方に滞留エリアＦ２を設ければよく、それにより、区画ブースのサイズをコンパクト化することができる。
【００９９】
また、メールボックス４３も一方の滞留エリアＦ２に設けることができる。
【０１００】
このように構成すれば、図１０の（ａ）〜（ｅ）に示すように、屋外から屋内（矢印Ｇ方向と逆方向）に通過する通行者は図９と同様に円滑に通り抜けることができ、屋内から屋外に通過する通行者は滞留エリアＦ２が設けられていない側を通過することができる。
【０１０１】
また、メールボックス４３に用事のある通行者Ｐ′は、他の通行者Ｐの通行に関係なく滞留エリアＦ２に移動し、必要な期間だけその滞留エリアＦ２に残ることができる。
【０１０２】
図１１は、本発明に係るドア装置の第七の実施形態を示したものである。
【０１０３】
上述した第六の実施形態とこの第七の実施形態の違いは、扉パネル部４４の構成にある。
【０１０４】
この扉パネル部４４は、その幅方向に拡縮できる２層構造からなり、同図（ａ）に示すように、屋外側出入口４１および屋内側出入口４２を開いている場合は縮小し、同図（ｃ）に示すように、屋内側出入口４１および屋内側出入口４２を閉じる際に拡張するように構成されている。
【０１０５】
すなわち、この扉パネル部４４は、図１１（ａ）において区画ブース４０内に移動しているときは最小に縮小されているが、回転軸Ｒ．Ａを回転中心として矢印Ｉ方向に回転するにつれて徐々に拡張され（図１１（ｂ）参照）、各出入口４１，４２を閉じた時点で最大に拡張され（図１１（ｃ）参照）、各出入口４１，４２を開くにつれて再び縮小し始め（図１１（ｄ）参照）、各出入口４１，４２を最大に開いて区画ブース４０内に移動した時点で最小に縮小される（図１１（ｅ）参照）。
【０１０６】
このように構成すれば、反転パネル部５ａの回転角を小さくすることができ、それにより、区画ブース４０の各出入口４１，４２について最大の開口幅を確保することと区画ブース４０内のデッドスペースを少なくすることを両立させることができる。
【０１０７】
図１２は、本発明に係るドア装置の第八の実施形態を示したものである。
【０１０８】
この実施形態では、反転パネル部５０の両端に円弧状の扉パネル部５１を備えており、区画ブース５２内で回転軸Ｒ．Ａを中心として時計回り、反時計回りに交互に回転し揺動するように構成されているが、扉パネル部５１がその揺動時において区画ブース５２内に入り込まないように構成されている。
【０１０９】
詳しくは、区画ブース５２は、長方形（平面から見て）に仕切られた部屋で構成されており、その各長辺に屋外側出入口５３と屋内側出入口５４が対向して設けられている。屋外側出入口５３の開口幅となる区画ブース５２の開口縁５２ａおよび５２ｂは幅広に設定されており、それらの開口縁５２ａ，５２ｂを扉パネル部５１の揺動限界としている。
【０１１０】
また、扉パネル部５１を区画ブース５２の前面５２′よりも大きく膨出することによって（図１２（ｃ）参照）反転パネル部５０の回転半径を小さくするとともに、扉パネル部５１を拡縮できる構造（後述する）としている。
【０１１１】
なお、図中、５２ｅ〜５２ｈは非常ドアである。
【０１１２】
次に、本実施形態の動作を屋外から屋内に通行する場合を例に取り説明する。
【０１１３】
運転を開始すると、まず図１２（ａ）に示すように反転パネル部５０が矢印Ｈ方向に回転し、開口縁５２ａを回転限界として停止する。このとき、扉パネル部５１が幅方向に縮小されて出入口５３が開き、通行者Ｐはその出入口５３からドア装置内に入ることができる。
【０１１４】
次に、同図（ｂ）に示すように反転パネル部５０が反転、すなわち矢印Ｉ方向に回転すると、縮小されていた扉パネル５１が徐々に拡張し、出入口５３が閉じられる。
【０１１５】
同図（ｃ）は屋外側出入口５３と屋内側出入口５４が扉パネル部５１，５１によって完全に閉じられた状態を示している。このとき、通行者Ｐは屋内側出入口５４に向けて移動する。
【０１１６】
同図（ｄ）に示すように、反転パネル部５０がさらに矢印Ｉ方向に回転すると、扉パネル部５１が縮小していき屋内側出入口５４が徐々に開かれる。
【０１１７】
同図（ｅ）に示すように、反転パネル部５０が他方側の開口縁５２ｂまで回転すると、扉パネル部５１が縮小し、通行者Ｐは屋内側出入口５４を通過して屋内に入ることができる。
【０１１８】
このように構成すれば、区画ブース４０の各出入口５３，５４について最大の開口幅を確保しつつ、扉パネル部５０が区画ブース５２内に入り込むことがないため、区画ブース５２内にデッドスペースは発生させずにスムーズな通行が可能になる。
【０１１９】
また、扉パネル部５０の曲率を大きくしていることにより、区画ブース５２内の通行エリアを広くすることができるという利点がある。
【０１２０】
図１３は、本発明に係るドア装置の第九の実施形態を示したものであり、図１２に示した可動パネル２を区画ブース５２に複数（本実施形態では２基）配置したものである。
【０１２１】
そのため、区画ブース５２は通路方向と直交する左右方向に長く長方形に構成されており、両可動パネル２の間には区画ブースを延長させるための平行壁５２ｇが設けられている。
【０１２２】
この区画ブース５２に並列に設置された可動パネル２，２は、左右対称に開閉動作するようになっている。
【０１２３】
例えば図１３（ａ）に示すように、左側の可動パネル２が矢印Ｊ方向に回転するとき、右側の可動パネル２はこれと反対に矢印Ｋ方向に回転する。それにより、扉パネル部５１が開閉しても出入口５３と出入口５４が連通することはなく風除効果が確保される。
【０１２４】
また、本実施形態の区画ブース５２ではその両端にメールボックス４３を配置することができ、通行量の増加に対応できるだけでなく、十分な退避スペースを確保することができ、さらに、マンション等のエントランスに設置した場合であっても居住者分のメールボックスを確保することができる。
【０１２５】
同図（ｂ）は可動パネル２，２が反転を開始し扉パネル部５１を拡張している状態を示し、同図（ｃ）は扉パネル部５１が完全に拡張され各出入口５３，５４が閉じられた状態を示し、同図（ｄ）はさらに反転が続けられ扉パネル部５１が縮小を開始している状態を示し、同図（ｅ）は反対側に反転して扉パネル部５１が完全に縮小し出入口５３，５４を開放している状態を示している。
【０１２６】
図１４は、上記した扉パネル部５１の構成を示す平面図、図１５はその正面図である。
【０１２７】
図１４において、反転パネル部５０の両端には扉パネル部５１，５１が設けられ、出入口を開閉するようになっている。
【０１２８】
一方の扉パネル部５１（図において上側）を代表してその構成を説明すると、扉パネル部５１は円弧状の外側扉パネル５１ａと同じく円弧状の内側扉パネル５１ｂとによって複層に構成されている。
【０１２９】
外側扉パネル５１ａの図において左縁部にはワイヤー６０が接続され、このワイヤー６０には図の左側に配置された巻取装置６１によって巻き取られ、常に引張方向のテンションが与えられている。一方、内側扉パネル５１ｂの右縁部にも同様にワイヤー６２が接続され、図の右側に配置された巻取装置６３によって引張方向のテンションが与えられている。
【０１３０】
反転パネル部５０は、図中二点鎖線で示す５０′の位置から５０″の位置の間（角度θ°の範囲）で揺動するようになっており、駆動モータ６４が駆動すると、駆動プーリ６４ａと従動プーリ６４ｂとの間に円弧状に架設されたエンドレスベルト６５が周回（上下に）し、そのエンドレスベルト６５にクランプ６６を介して固定されている反転パネル部５０がＲ．Ａを回転中心として回転するようになっている。なお、６７はエンドレスベルト６５をガイドするためのガイドローラである。
【０１３１】
反転パネル部５０′が矢印Ｍ方向に回転するとき、反転パネル部５０と内側扉パネル５１ｂは連結状態にあり、内側パネル５１ｂが外側パネル５１ａから引き出される。
【０１３２】
反転パネル部５０が１２時の位置に到達すると、扉パネル部５１が完全に拡張された状態となる。このとき、内側扉パネル５１ｂとの連結が解除され、今度は外側扉パネル５１ａと連結される。
【０１３３】
反転パネル部５０がさらに矢印Ｍ方向に回転すると、外側扉パネル５１ａが内側扉パネル５１ｂと重なり合うようにして格納され、扉パネル部５１が縮小する。
【０１３４】
一方、駆動モータ６４が逆転すると反転パネル部５０″は矢印Ｎ方向に回転し、このように反転パネル部５０を左右に揺動させることにより、出入口が開閉される。
【０１３５】
また、図１５において、外側扉パネル５１ａはハンガー６８を介し天井フレーム６９から延設されたレール７０上を移動するようになっており、内側扉パネル５１ｂは同じくハンガー７１を介し天井フレーム６９から延設されたレール７２上を移動するようになっている。なお、７３，７４はＶ字状に配置された一対のローラであり、扉パネル５１ａ，５１ｂをそれぞれレール７０，７２上に位置決めしながら転動するようになっている。
【０１３６】
また、各扉パネル５１ａ，５１ｂの下部は、反転パネル部５０の下部プレート７５に配置されたローラ７６ａ，７６ｂにガイドされるようになっている。また、７５は気密性を高めるためのブラシであり、その一部を示している。
【０１３７】
【発明の効果】
以上説明したことから明らかなように、請求項１の本発明によれば、１８０°以下で回動する反転パネル部が一方の回転限界まで振れたとき、または予めその回転限界に振れているときに、各出入口が開かれて反転パネル部が区画ブースを屋内外で遮断し、反転パネル部が回転して屋外側の出入口が扉部によって閉じられたときに遮断していた区画ブースが連通されるように構成したため、風除効果を確保した状態で通行者を通過させることができる。しかも、各出入口を開閉する扉部は反転パネル部と接続されて一体化されているため、反転パネル部を一つの駆動装置で回動させれば、開閉手段を開閉動作させることが可能になる。
【０１３８】
請求項２の本発明によれば、上記扉部を円弧状のパネルで構成したため、区画ブース内のエリアを通行方向に拡張することができる。
【０１３９】
請求項３の本発明によれば、上記区画ブースを平面から見て断面四角形に構成し、その各コーナー部にデッドスペースを埋めるためのスペーサを付設したため、区画ブースの四隅に生じるデッドスペース内に通行者が誤って入り込むことを防止して通行者を安全に通行させることができる。
【０１４０】
請求項４の本発明によれば、上記区画ブースを、平面から見た断面が通路方向に長い長方形に構成し、扉部が、出入口を開いたときに区画ブースの長辺側内壁に沿って折り畳まれるように構成したため、区画ブースの幅を縮小することが可能になりドア装置のコンパクト化が図れる。
【０１４１】
請求項５の本発明によれば、上記扉部を幅方向に拡縮できる複層構造としたため、広幅の出入口を開閉することが可能になる。
【０１４２】
請求項６の本発明によれば、上記反転パネル部に、開閉自在なドアを備えたため、非常時等の避難脱出通路を確保することができる。また、長尺物を搬入するときに開ければ、その運搬が容易に行える。
【０１４３】
請求項７の本発明によれば、区画ブース内に、通行者が移動する通行エリアと通じており通行者が滞留することのできる滞留部が設けたため、反転パネル部が反転するタイミングに合わせて通行ができない場合は滞留部に退避することができるため、自分の都合に合わせて安全にドア装置を通行することが可能になり、通行が滞ることを解消することができる。
【０１４４】
請求項８の本発明によれば、上記出入口の横幅を、例えば一人の通行者が車椅子で通過できる幅に制限し、円弧状扉部の幅もその横幅に対応して短く形成したため、円弧状扉は区画ブース内に大きく進入することがなく区画ブース内のデッドスペースを少なくすることができる。
【０１４５】
請求項９の本発明によれば、上記円弧状扉部を開閉方向に拡縮できる複層構造とし、出入口を開いている場合は縮小動作させ、出入口を閉じる際に拡張動作させるように構成したため、反転パネルの回転角を小さくすることができ、それにより、区画ブースの出入口について最大の開口幅を確保することと区画ブース内のデッドスペースを少なくすることを両立させることができる。
【０１４６】
請求項１０の本発明によれば、上記区画ブースにおける出入口の開口範囲内で円弧状扉部を開閉動作させるように構成したため、円弧状扉が区画ブース内に進入することがなく、通行者の通行をよりスムーズにすることができる。
【０１４７】
請求項１１の本発明によれば、上記円弧状扉部の曲率を大きくすることにより円弧状扉部を区画ブースの出入口から外向きに膨出させたため、反転パネルを小さい半径で回転させることができるようになり、通行エリアを広くすることができる。
【０１４８】
請求項１２の本発明によれば、上記区画ブースに非常時通行用のドアを設けたため、非常時等の避難脱出通路を確保することができる。
【０１４９】
請求項１３の本発明によれば、上記区画ブースを通路方向と直交する左右方向に長く長方形に構成し、この区画ブース内に開閉手段を並列に配設するとともに、左右対称に各開閉手段を開閉動作させるようにしたため、風除効果を確保したまま通行量を増加させることができる。
【図面の簡単な説明】
【図１】本発明に係るドア装置の構成を示す斜視図である。
【図２】図１のＡ部拡大図である。
【図３】図１に示す可動パネルを揺動させる駆動装置を示した平面図である。
【図４】図１に示すドア装置の動作を示す説明図である。
【図５】本発明の第二の実施形態を示す説明図である。
【図６】本発明の第三の実施形態を示す図５相当図である。
【図７】本発明の第四の実施形態を示す図５相当図である。
【図８】本発明の第五の実施形態を示す平面図である。
【図９】本発明の第六の実施形態を示す平面図である。
【図１０】図９の変形例を示す図９相当図である。
【図１１】本発明の第七の実施形態を示す平面図である。
【図１２】本発明の第八の実施形態を示す平面図である。
【図１３】本発明の第九の実施形態を示す平面図である。
【図１４】図１２に示す扉パネル部の構成を示す平面図である。
【図１５】図１４の正面図である。
【符号の説明】
１　ドア装置
２　可動パネル
３　区画ブース
４　ガラスパネル
４ａ　扉パネル部
５　ガラスパネル
５ａ　反転パネル部
６　ゴムスイッチ
７　屋外出入口
８　屋内出入口
９　ガラスパネル
１０　ゴムスイッチ
１１　外壁
２０　架台
２１　ガイドプレート
２１ｂ　ガイドローラ
２２　歯付きベルト
２３　モータ
２３ａ　駆動プーリ
２４　従動プーリ
２５　クランプ
２６，２７　センサ
２８　コントローラ
【図１】
2004003271.tif 000003
【図２】
2004003271.tif 000004
【図３】
2004003271.tif 000005
【図４】
2004003271.tif 000006
【図５】
2004003271.tif 000007
【図６】
2004003271.tif 000008
【図７】
2004003271.tif 000009
【図８】
2004003271.tif 000010
【図９】
2004003271.tif 000011
【図１０】
2004003271.tif 000012
【図１１】
2004003271.tif 000013
【図１２】
2004003271.tif 000014
【図１３】
2004003271.tif 000015
【図１４】
2004003271.tif 000016
【図１５】
2004003271.tif 000017